(57)【要約】【課題】曜日毎の省エネモードの設定に限らず、祝祭日等の設定も可能なように、より柔軟に省エネモードの時間的設定を行う。【解決手段】曜日情報と祝祭日情報を含む地域別のカレンダデータに基づき、休診日設定画面１３０の日付ボタン１３０ａに設定対象となっている月の日を表示する。ワークボタン１３０ｂ、オールボタン１３０ｃ、午後ボタン１３０ｄ、午前ボタン１３０ｅ及び曜日ボタン１３２ａ〜１３２ｇをクリックして診療日及び休診日を日毎又は曜日毎に設定する。休診日、並びに、診療日でない日曜日及び祝祭日には、所定の休診時間帯に省エネモードにより画像形成装置のエネルギ消費量を抑制する。【選択図】図９
2005071269.tif 000002
【特許請求の範囲】
【請求項１】
制御対象に所定のエネルギを供給する通常モードと、
前記制御対象のエネルギ消費量を抑制する１以上の省エネモードと、
をタイマに従って切り換え可能なカレンダタイマ機構であって、
曜日情報と祝祭日情報を含み、稼働日及び／又は休業日を日毎又は曜日毎に設定可能なカレンダデータに基づいて、休業日、並びに、稼働日でない日曜日及び祝祭日には、所定の休業時間帯に前記省エネモードにより前記制御対象のエネルギ消費量を抑制することを特徴とするカレンダタイマ機構。
【請求項２】
請求項１記載のカレンダタイマ機構において、
前記カレンダデータには日毎又は曜日毎に半休日を設定可能であり、設定された半休日には、半休日の設定情報に含まれる半休時間帯に前記省エネモードにより前記制御対象のエネルギ消費量を抑制することを特徴とするカレンダタイマ機構。
【請求項３】
請求項１記載のカレンダタイマ機構において、
前記休業時間帯は、休業日、並びに、稼働日でない日曜日及び祝祭日に対する前日の午後及び翌日の午前の時間帯を含むように設定可能であることを特徴とするカレンダタイマ機構。
【請求項４】
請求項１記載のカレンダタイマ機構において、
前記カレンダデータは、前記祝祭日情報の異なる複数の地域別データ及び／又は年別データから選択設定可能であることを特徴とするカレンダタイマ機構。
【請求項５】
請求項１記載のカレンダタイマ機構において、
前記制御対象である処理装置は複数存在し、稼働日情報及び／又は休業日情報の設定を行った前記カレンダデータを各処理装置に共有設定可能なカレンダタイマ機構。
【請求項６】
請求項１記載のカレンダタイマ機構において、
期間情報とオフセット時間情報を含むサマータイム情報を設定可能であって、
前記期間情報が示す期間に、前記オフセット時間情報が示す時間だけずらして前記省エネモードを実行することを特徴とするカレンダタイマ機構。
【請求項７】
請求項１記載のカレンダタイマ機構において、
前記通常モードは、前記制御対象の全てをＯＮにするモードであり、
前記省エネモードは、前記制御対象の全てをＯＦＦにするＯＦＦモードと、
任意の制御対象を選択的にＯＦＦ状態又は低消費状態にする少なくとも２以上の省エネサブモードと、
を有するとともに、
少なくとも３つのモード間の移行時間を任意に設定可能に構成されることを特徴とするカレンダタイマ機構。
【請求項８】
制御対象に所定のエネルギを供給する通常モードと、
前記制御対象のエネルギ消費量を抑制する１以上の省エネモードと、
をタイマに従って切り換え可能なカレンダタイマ機構を含む医療用画像処理システムであって、
曜日情報と祝祭日情報を含み、稼働日及び／又は休業日を日毎又は曜日毎に設定可能なカレンダデータに基づいて、休業日、並びに、稼働日でない日曜日及び祝祭日には、所定の休業時間帯に前記省エネモードにより前記制御対象のエネルギ消費量を抑制することを特徴とするカレンダタイマ機構を含む医療用画像処理システム。
【請求項９】
請求項８記載の医療用画像処理システムにおいて、
前記カレンダデータには日毎又は曜日毎に半休日を設定可能であり、設定された半休日には、半休日の設定情報に含まれる半休時間帯に前記省エネモードにより前記制御対象のエネルギ消費量を抑制することを特徴とするカレンダタイマ機構を含む医療用画像処理システム。
【請求項１０】
請求項８記載の医療用画像処理システムにおいて、
前記休業時間帯は、休業日、並びに、稼働日でない日曜日及び祝祭日に対する前日の午後及び翌日の午前の時間帯を含むように設定可能であることを特徴とするカレンダタイマ機構を含む医療用画像処理システム。
【請求項１１】
請求項８記載の医療用画像処理システムにおいて、
前記カレンダデータは、前記祝祭日情報の異なる複数の地域別データ及び／又は年別データから選択設定可能であることを特徴とするカレンダタイマ機構を含む医療用画像処理システム。
【請求項１２】
請求項８記載の医療用画像処理システムにおいて、
前記制御対象である処理装置は複数存在し、稼働日情報及び／又は休業日情報の設定を行った前記カレンダデータを各処理装置に共有設定可能なカレンダタイマ機構を含む医療用画像処理システム。
【請求項１３】
請求項８記載の医療用画像処理システムにおいて、
期間情報とオフセット時間情報を含むサマータイム情報を設定可能であって、
前記期間情報が示す期間に、前記オフセット時間情報が示す時間だけずらして前記省エネモードを実行することを特徴とするカレンダタイマ機構を含む医療用画像処理システム。
【請求項１４】
請求項８記載の医療用画像処理システムにおいて、
前記通常モードは、前記制御対象の全てをＯＮにするモードであり、
前記省エネモードは、前記制御対象の全てをＯＦＦにするＯＦＦモードと、
任意の制御対象を選択的にＯＦＦ状態又は低消費状態にする少なくとも２以上の省エネサブモードと、
を有するとともに、
少なくとも３つのモード間の移行時間を任意に設定可能に構成されることを特徴とするカレンダタイマ機構を含む医療用画像処理システム。
【請求項１５】
制御対象に所定のエネルギを供給する通常モードと、
前記制御対象のエネルギ消費量を抑制する１以上の省エネモードと、
をタイマに従って切り換え可能なカレンダタイマ機構を含む医療用プリントシステムであって、
曜日情報と祝祭日情報を含み、稼働日及び／又は休業日を日毎又は曜日毎に設定可能なカレンダデータに基づいて、休業日、並びに、稼働日でない日曜日及び祝祭日には、所定の休業時間帯に前記省エネモードにより前記制御対象のエネルギ消費量を抑制することを特徴とするカレンダタイマ機構を含む医療用プリントシステム。
【請求項１６】
請求項１５記載の医療用プリントシステムにおいて、
前記カレンダデータには日毎又は曜日毎に半休日を設定可能であり、設定された半休日には、半休日の設定情報に含まれる半休時間帯に前記省エネモードにより前記制御対象のエネルギ消費量を抑制することを特徴とするカレンダタイマ機構を含む医療用プリントシステム。
【請求項１７】
請求項１５記載の医療用プリントシステムにおいて、
前記休業時間帯は、休業日、並びに、稼働日でない日曜日及び祝祭日に対する前日の午後及び翌日の午前の時間帯を含むように設定可能であることを特徴とするカレンダタイマ機構を含む医療用プリントシステム。
【請求項１８】
請求項１５記載の医療用プリントシステムにおいて、
前記カレンダデータは、前記祝祭日情報の異なる複数の地域別データ及び／又は年別データから選択設定可能であることを特徴とするカレンダタイマ機構を含む医療用プリントシステム。
【請求項１９】
請求項１５記載の医療用プリントシステムにおいて、
前記制御対象である処理装置は複数存在し、稼働日情報及び／又は休業日情報の設定を行った前記カレンダデータを各処理装置に共有設定可能なカレンダタイマ機構を含む医療用プリントシステム。
【請求項２０】
請求項１５記載の医療用プリントシステムにおいて、
期間情報とオフセット時間情報を含むサマータイム情報を設定可能であって、
前記期間情報が示す期間に、前記オフセット時間情報が示す時間だけずらして前記省エネモードを実行することを特徴とするカレンダタイマ機構を含む医療用プリントシステム。
【請求項２１】
請求項１５記載の医療用プリントシステムにおいて、
前記通常モードは、前記制御対象の全てをＯＮにするモードであり、
前記省エネモードは、前記制御対象の全てをＯＦＦにするＯＦＦモードと、
任意の制御対象を選択的にＯＦＦ状態又は低消費状態にする少なくとも２以上の省エネサブモードと、
を有するとともに、
少なくとも３つのモード間の移行時間を任意に設定可能に構成されることを特徴とするカレンダタイマ機構を含む医療用プリントシステム。
【請求項２２】
制御対象に所定のエネルギを供給する通常モードと、
前記制御対象のエネルギ消費量を抑制する１以上の省エネモードと、
をタイマに従って切り換え可能なカレンダタイマ機構を制御する制御プログラムであって、
曜日情報と祝祭日情報を含み、稼働日及び／又は休業日を日毎又は曜日毎に設定可能なカレンダデータに基づいて、休業日、並びに、稼働日でない日曜日及び祝祭日には、所定の休業時間帯に前記省エネモードにより前記制御対象のエネルギ消費量を抑制することを特徴とするカレンダタイマ機構を制御する制御プログラム。
【請求項２３】
請求項２２記載の制御プログラムにおいて、
前記カレンダデータには日毎又は曜日毎に半休日を設定可能であり、設定された半休日には、半休日の設定情報に含まれる半休時間帯に前記省エネモードにより前記制御対象のエネルギ消費量を抑制することを特徴とするカレンダタイマ機構を制御する制御プログラム。
【請求項２４】
請求項２２記載の制御プログラムにおいて、
前記休業時間帯は、休業日、並びに、稼働日でない日曜日及び祝祭日に対する前日の午後及び翌日の午前の時間帯を含むように設定可能であることを特徴とするカレンダタイマ機構を制御する制御プログラム。
【請求項２５】
請求項２２記載の制御プログラムにおいて、
前記カレンダデータは、前記祝祭日情報の異なる複数の地域別データ及び／又は年別データから選択設定可能であることを特徴とするカレンダタイマ機構を制御する制御プログラム。
【請求項２６】
請求項２２記載の制御プログラムにおいて、
前記制御対象である処理装置は複数存在し、稼働日情報及び／又は休業日情報の設定を行った前記カレンダデータを各処理装置に共有設定可能なカレンダタイマ機構を制御する制御プログラム。
【請求項２７】
請求項２２記載の制御プログラムにおいて、
期間情報とオフセット時間情報を含むサマータイム情報を設定可能であって、
前記期間情報が示す期間に、前記オフセット時間情報が示す時間だけずらして前記省エネモードを実行することを特徴とするカレンダタイマ機構を制御する制御プログラム。
【請求項２８】
請求項２２記載の制御プログラムにおいて、
前記通常モードは、前記制御対象の全てをＯＮにするモードであり、
前記省エネモードは、前記制御対象の全てをＯＦＦにするＯＦＦモードと、
任意の制御対象を選択的にＯＦＦ状態又は低消費状態にする少なくとも２以上の省エネサブモードと、
を有するとともに、
少なくとも３つのモード間の移行時間を任意に設定可能に構成されることを特徴とするカレンダタイマ機構を制御する制御プログラム。
【請求項２９】
制御対象に所定のエネルギを供給する通常モードと、
前記制御対象のエネルギ消費量を抑制する１以上の省エネモードと、
をタイマに従って切り換え可能な制御プログラムを記録する記録媒体であって、
曜日情報と祝祭日情報を含み、稼働日及び／又は休業日を日毎又は曜日毎に設定可能なカレンダデータに基づいて、休業日、並びに、稼働日でない日曜日及び祝祭日には、所定の休業時間帯に前記省エネモードにより前記制御対象のエネルギ消費量を抑制することを特徴とする制御プログラムを記録する記録媒体。
【請求項３０】
請求項２９記載の記録媒体において、
前記カレンダデータには日毎又は曜日毎に半休日を設定可能であり、設定された半休日には、半休日の設定情報に含まれる半休時間帯に前記省エネモードにより前記制御対象のエネルギ消費量を抑制することを特徴とする制御プログラムを記録する記録媒体。
【請求項３１】
請求項２９記載の記録媒体において、
前記休業時間帯は、休業日、並びに、稼働日でない日曜日及び祝祭日に対する前日の午後及び翌日の午前の時間帯を含むように設定可能であることを特徴とする制御プログラムを記録する記録媒体。
【請求項３２】
請求項２９記載の記録媒体において、
前記カレンダデータは、前記祝祭日情報の異なる複数の地域別データ及び／又は年別データから選択設定可能であることを特徴とする制御プログラムを記録する記録媒体。
【請求項３３】
請求項２９記載の記録媒体において、
前記制御対象である処理装置は複数存在し、稼働日情報及び／又は休業日情報の設定を行った前記カレンダデータを各処理装置に共有設定可能な制御プログラムを記録する記録媒体。
【請求項３４】
請求項２９記載の記録媒体において、
期間情報とオフセット時間情報を含むサマータイム情報を設定可能であって、
前記期間情報が示す期間に、前記オフセット時間情報が示す時間だけずらして前記省エネモードを実行することを特徴とする制御プログラムを記録する記録媒体。
【請求項３５】
請求項２９記載の記録媒体において、
前記通常モードは、前記制御対象の全てをＯＮにするモードであり、
前記省エネモードは、前記制御対象の全てをＯＦＦにするＯＦＦモードと、
任意の制御対象を選択的にＯＦＦ状態又は低消費状態にする少なくとも２以上の省エネサブモードと、
を有するとともに、
少なくとも３つのモード間の移行時間を任意に設定可能に構成されることを特徴とする制御プログラムを記録する記録媒体。
【発明の詳細な説明】
【技術分野】
【０００１】
本発明は、制御対象を設定された時刻にＯＮ／ＯＦＦするとともに、設定時刻が任意に変更可能なカレンダタイマ機構、医療用画像処理システム、医療用プリントシステム、制御プログラム及び制御プログラムを記録する記録媒体に関する。
【背景技術】
【０００２】
例えば、画像形成分野において、超音波診断、ＣＴ診断、ＭＲＩ診断又はＸ線診断等により撮影された画像を、記録材料、例えば、感光性熱現像記録材料に可視画像として形成する画像形成装置が採用されている。
【０００３】
この種の画像形成装置では、通常、ハロゲンランプ等のヒータを内蔵するドラムと、このドラムに３分の２周程度巻き掛けられて前記ドラムに従動するエンドレスベルトとが用いられている。そして、ドラムが回転駆動されることにより、感光性熱現像記録材料が前記ドラムとエンドレスベルトとの間に挿入されて搬送されている。これによって、感光性熱現像記録材料には、所定温度でかつ所定時間の加熱が行われ、熱現像処理が遂行されている。
【０００４】
ところで、上記の画像形成装置は、一般的に病院内に設置されており、例えば、１週間の各曜日毎に使用時間が予め決定されている。このため、各曜日毎に画像形成装置の電源投入／遮断のスケジュール設定を行い、その設定されたスケジュールに沿って前記画像形成装置の運転を自動的に制御することが望まれている。
【０００５】
そこで、例えば、自動運転の対象となる装置に供給される電源の投入／遮断時刻を設定し、前記設定された時刻の中から、次の電源投入／遮断の時刻を選択してカレンダタイマ装置に設定するとともに、前記設定された時刻になったときに、前記カレンダタイマ装置から信号を発生する自動運転制御装置が知られている（例えば、特許文献１参照）。
【０００６】
これにより、装置の電源投入／遮断を行うために、外部からの決められた操作を行う必要がなく、１回のスケジュール設定で複数回の電源投入／遮断を自動的に行うことができる、としている。
【０００７】
また、本出願人は、効果的な省エネを図る機構として特願２００２−９２６１３号に記載されたカレンダタイマ機構を提案した。該カレンダタイマ機構によれば処理装置全体として効率的かつ経済的な処理作業が容易に遂行される。
【０００８】
【特許文献１】特開平６−３３７７２７号公報
【発明の開示】
【発明が解決しようとする課題】
【０００９】
本発明は前記の特願２００２−９２６１３号の発明に関連してなされたものであって、曜日毎の省エネモードの設定に限らず、祝祭日等の設定も可能となるように、より柔軟に省エネモードの時間的設定を行うことを可能にするカレンダタイマ機構、医療用画像処理システム、医療用プリントシステム、制御プログラム及び制御プログラムを記録する記録媒体を提供することを目的とする。
【課題を解決するための手段】
【００１０】
本発明に係るカレンダタイマ機構、医療用画像処理システム、医療用プリントシステム、制御プログラム及び制御プログラムを記録する記録媒体は、制御対象に所定のエネルギを供給する通常モードと、前記制御対象のエネルギ消費量を抑制する１以上の省エネモードと、をタイマに従って切り換え可能なカレンダタイマ機構であって、曜日情報と祝祭日情報を含み、稼働日及び／又は休業日を日毎又は曜日毎に設定可能なカレンダデータに基づいて、休業日、並びに、稼働日でない日曜日及び祝祭日には、所定の休業時間帯に前記省エネモードにより前記制御対象のエネルギ消費量を抑制することを特徴とする。
【００１１】
このように、カレンダデータを用い、稼動日及び／又は休業日を日毎又は曜日毎に設定することにより、休業日、並びに、稼動日でない日曜日及び祝祭日には、所定の休業日時間帯に制御対象を省エネモードとすることができ、エネルギ消費量を簡便に抑制することができる。
【００１２】
この場合、前記カレンダデータには日毎又は曜日毎に半休日を設定可能であり、設定された半休日には、半休日の設定情報に含まれる半休時間帯に前記省エネモードにより前記制御対象のエネルギ消費量を抑制するようにして、半休日にも対応可能なようにするとよい。
【００１３】
また、前記休業時間帯は、休業日、並びに、稼働日でない日曜日及び祝祭日に対する前日の午後及び翌日の午前の時間帯を含むように設定可能とすると、前日及び翌日の設定を変更することなく休業時間帯を延長することができる。
【００１４】
さらに、前記カレンダデータは、前記祝祭日情報の異なる複数の地域別データ及び／又は年別データから選択設定可能とするとよい。これにより、地域別及び年別のカレンダを適用することができ、容易な操作により、世界の各地域においていつでも制御対象の省エネ設定を祝祭日に適合するように設定することができる。
【００１５】
前記制御対象である処理装置は複数存在し、稼働日情報及び／又は休業日情報の設定を行った前記カレンダデータを各処理装置に共有設定可能としておくと、各処理装置毎に設定を行う必要がなくなり、設定に要する時間が大幅に短縮される。
【００１６】
期間情報とオフセット時間情報を含むサマータイム情報を設定可能であって、
前記期間情報が示す期間に、前記オフセット時間情報が示す時間だけずらして前記省エネモードを実行するようにしてもよい。
【００１７】
前記通常モードは、前記制御対象の全てをＯＮするモードであり、前記省エネモードは、前記制御対象の全てをＯＦＦするＯＦＦモードと、任意の制御対象を選択的にＯＦＦ状態又は低消費状態にする少なくとも２以上の省エネサブモードと、を有するとともに、少なくとも３つのモード間の移行時間を任意に設定可能に構成されるようにしてもよい。
【００１８】
具体的には、制御対象の省エネ効果と立ち上がり時間とは相反する要素であり、大きな省エネ効果を得ようとすると、立ち上がり時間が長くなる。このため、予め設定されている停止期間が長ければ、省エネ効果の大きな（立ち上げ時間の長い）モードを選択する一方、停止時間が短ければ、立ち上がり時間の短い（省エネ効果の小さな）モードを選択する。従って、省エネ効果と立ち上がり時間とのバランスを任意に設定することが可能になり、全体として省エネの向上を図ることができる。
【発明の効果】
【００１９】
本発明では、カレンダデータを用いることによって、曜日毎の設定に加えて祝祭日や休業日及び／又は稼働日における省エネモードの設定を行うことができる。
【発明を実施するための最良の形態】
【００２０】
図１は、本発明の実施形態に係るカレンダタイマ機構を組み込む画像形成装置（処理装置）１０ａの内部構成説明図である。
【００２１】
画像形成装置１０ａは、ケーシング１２を備えており、このケーシング１２内には、感光材料供給部１４、画像露光部１６及び熱現像部１８が配置されており、これらが搬送部２０を介して記録材料（感光性熱現像記録材料）Ｆの搬送方向順に配置されている。感光材料供給部１４は、それぞれ所定枚数の記録材料Ｆの積層体がマガジン２２を介して供給される装填部２４、２６を上下に配設している。装填部２４、２６には、吸着盤２８、３０を備える枚葉手段が設けられ、前記吸着盤２８、３０の取り出し方向先端側には、搬送部２０を構成する搬送ローラ対３２が配設される。
【００２２】
画像露光部１６は、記録材料Ｆに主走査方向に光ビームＬを照射する露光ユニット３４と、前記記録材料Ｆを前記主走査方向に略直交する副走査方向（矢印Ｘ方向）に搬送する副走査搬送手段３６とを備える。露光ユニット３４は、公知の光ビーム走査装置であり、副走査搬送手段３６は、一対の搬送ローラ対３８、４０を設ける。
【００２３】
熱現像部１８は、加熱ドラム４２と、エンドレスベルト４４と、剥離爪４６とを備えている。加熱ドラム４２は、ハロゲンランプ等の加熱用光源やヒータ等の熱源を内蔵しており、本実施形態では、ヒータ４８を内蔵している（図２参照）。
【００２４】
加熱ドラム４２の表面は、記録材料Ｆの熱現像温度に応じた温度に加熱保持されており、軸４２ａを中心に回転することによってエンドレスベルト４４と共動して記録材料Ｆを挟持搬送する。エンドレスベルト４４は、複数のローラ５０に張り渡されており、加熱ドラム４２の外周に所定の範囲にわたって巻き掛けられている。
【００２５】
ケーシング１２の上方には、熱現像部１８により熱現像が終了した記録材料Ｆを積層して収容するためのトレイ５２が配置されている。このトレイ５２の上方には、表示部であるパネル部５４が設けられている。
【００２６】
図２に示すように、画像形成装置１０ａを制御するためのＣＰＵ（中央処理装置）６０には、ヒータ４８を制御するためのヒータ制御部６２と、パネル部５４を制御するためのパネル制御部６４と、枚葉手段、搬送部２０及び副走査搬送手段３６等を構成するそれぞれのモータ６６ａ〜６６ｎを駆動制御するためのモータ制御部６８ａ〜６８ｎとが接続される。
【００２７】
ＣＰＵ６０には、本実施形態に係る自動制御用のカレンダタイマ機構７０と、メモリ７２とが接続されている。このメモリ７２には、後述するように、カレンダタイマ機構７０による制御対象のＯＮ／ＯＦＦ制御に関する設定内容が記憶されている。カレンダタイマ機構７０には、時間及び日付を認識するためのタイマ（図示せず）と、祝祭日等における省エネ設定を行うための休診日設定機能部７１とが設けられている。メモリ７２は不揮発性記録部を含み、電源が遮断されたときにも設定されたデータを保持することができる。
【００２８】
また、ＣＰＵ６０には、ネットワーク１００を介して他の機器と通信を行うための通信制御部７４が接続されている。
【００２９】
図３に示すように、画像形成装置１０ａは、ネットワーク１００に接続されており、該ネットワーク１００に接続された他の機器と相互に通信が可能となっている。ネットワーク１００には、画像形成装置１０ａ以外に画像形成装置１０ｂ、１０ｃ…１０ｎと、管理コンピュータであるサーバ１０２が接続されており、全体として画像形成装置ネットワークシステム１０４を形成している。画像形成装置１０ｂ、１０ｃ…１０ｎは画像形成装置１０ａと類似の装置であり、少なくともＣＰＵ６０、カレンダタイマ機構７０、休診日設定機能部７１、メモリ７２及び通信制御部７４を有する。
【００３０】
次に、このように構成されるカレンダタイマ機構７０の動作について、これを組み込む画像形成装置１０ａ及び画像形成装置ネットワークシステム１０４との関連で以下に説明する。以下の動作は、カレンダタイマ機構７０がＣＰＵ６０及びメモリ７２と協働しながら所定のプログラムに基づいて実行する。この場合、所定のプログラムはＣＰＵ６０により外部記録媒体や広域通信ネットワーク等を介してメモリ７２のうちプログラム領域に読み込まれて、実行される。
【００３１】
なお、画像形成装置１０ｂ、１０ｃ…１０ｎはカレンダタイマ機構７０及び休診日設定機能部７１によって画像形成装置１０ａと同じ機能を有するが、以下の説明では主に画像形成装置１０ａを例にして説明する。
【００３２】
まず、カレンダタイマ機構７０では、画像形成装置１０ａを構成する制御対象（ヒータ４８、パネル部５４及びモータ６６ａ〜６６ｎを含む）の全てをＯＦＦにして前記画像形成装置１０ａの運転を比較的長時間にわたって停止するＯＦＦモードと、前記全ての制御対象をＯＮにする、すなわち、通常の運転状態にするＯＮモードと、以下に示す省エネモード（１）〜（６）とが設定可能である。
【００３３】
具体的には、図４に示すように、省エネモード（１）では、パネル部５４がＯＦＦされる一方、モータ６６ａ〜６６ｎ及びヒータ４８がＯＮされており、省エネモード（２）では、前記パネル部５４及び前記モータ６６ａ〜６６ｎがＯＦＦされるとともに、前記ヒータ４８がＯＮされている。
【００３４】
さらに、省エネモード（３）では、パネル部５４及びモータ６６ａ〜６６ｎがＯＦＦされる一方、ヒータ４８が目標温度を下げた状態で、すなわち、低消費電力状態で、ＯＮされている。省エネモード（４）では、パネル部５４、モータ６６ａ〜６６ｎ及びヒータ４８がＯＦＦされた状態、すなわち、ＯＦＦモードに相当する。
【００３５】
省エネモード（５）では、パネル部５４がＯＦＦされ、モータ６６ａ〜６６ｎがＯＮされるとともに、ヒータ４８が目標温度を下げた状態でＯＮされる。さらに、省エネモード（６）では、パネル部５４及びヒータ４８がＯＦＦされる一方、モータ６６ａ〜６６ｎがＯＮされている。
【００３６】
なお、ＯＦＦモードは消費電力を抑制するという観点からは省エネモードの一種と言うことができ、省エネモード（１）、（２）、（３）、（５）及び（６）は省エネサブモードとも言うことができる。これに対して通常のＯＮモードは通常モードということができる。
【００３７】
本実施形態では、省エネモード（１）〜（３）と、ＯＦＦモードと、通常のＯＮモードとを選択し、これらのモード間の移行時間を使用者の要望に応じて任意に設定する。ここで、図５には、省エネモード（１）〜（３）とＯＦＦモードとにおいて、省エネ効果と立ち上がり時間との関係が示されている。その際、省エネ効果は、ＤからＡに向かって高くなるとともに、立ち上がり時間は、ＤからＡに向かって短くなっている。
【００３８】
例えば、省エネモード（１）では、パネル部５４のみがＯＦＦされており、省エネ効果は他のモードに比べて低いものの、このパネル部５４をＯＮすれば即座に立ち上がるために、立ち上がり時間は極めて短くなる。一方、ＯＦＦモードでは、パネル部５４、モータ６６ａ〜６６ｎ及びヒータ４８が全てＯＦＦされており、相当に高い省エネ効果が得られるものの、特に前記ヒータ４８のヒートアップに時間がかかり、立ち上がり時間が最も長くなる。
【００３９】
上記の省エネモード（１）〜（３）及びＯＦＦモードを用いて、実際に画像形成装置１０ａを病院内で自動運転させるため、例えば、図６に示すフォーマットが作成される。このフォーマットでは、病院内で使用される画像形成装置１０ａを、１週間にわたって自動運転制御を行う際のモード状態が示されている。
【００４０】
この病院では、水曜日、土曜日及び日曜日が休診日（休業日）であり、月曜日、火曜日、木曜日及び金曜日が診療日（稼働日）である。また、金曜日は昼休みが長くなっている。診療日における診察開始時間は、例えば、午前９時からであり、昼休み時間は、月曜日、火曜日及び木曜日が、例えば、１２時〜１時までであり、金曜日が、例えば、１２時〜２時までである。
【００４１】
ここで、休診日である水曜日、土曜日及び日曜日は、終日、省エネ効果が最大であるＯＦＦモードに設定されており、休診日開けの木曜日及び月曜日の朝は、このＯＦＦモードからＯＮモードに自動的に移行する。月曜日、火曜日及び木曜日の昼休みは、比較的短い時間であるため、ＯＮモードから立ち上がり時間が最も早い省エネモード（１）に一旦移行した後、昼休み開けには、再度、ＯＮモードに移行する。一方、金曜日の昼休みは、比較的長い時間であるため、省エネ効果が省エネモード（１）よりも高い省エネモード（２）に移行される。
【００４２】
さらに、月曜日及び木曜日の夜は、翌朝にＯＮモードに立ち上げるべく、ＯＦＦモードよりも立ち上がり時間が短く、かつ省エネ効果が比較的高い省エネモード（３）に移行する。また、翌日が休診日である火曜日及び金曜日の夜は、最大の省エネ効果が得られるＯＦＦモードに移行する。
【００４３】
このように、本実施形態では、全ての制御対象をＯＦＦするＯＦＦモード及び全ての制御対象をＯＮにするＯＮモードの他に、任意の制御対象を選択的にＯＦＦ状態あるいは低消費電力状態にする少なくとも２以上、例えば３つの省エネモード（１）、（２）及び（３）が設定されている。そして、病院内における画像形成装置１０ａの使用状況、例えば、休診日や昼休み時間等を考慮して、省エネ効果と立ち上がり時間との関係から省エネモード（１）、（２）及び（３）が任意に設定されている。
【００４４】
具体的には、省エネ効果と立ち上がり時間とは相反する要素であり（図５参照）、大きな省エネ効果が得られるＯＦＦモードを設定すると、立ち上がり時間が相当に長くなる。従って、予め設定されている停止時間が長い水曜日、土曜日及び日曜日は、終日、省エネ効果が最も大きなＯＦＦモードに設定される一方、停止時間が短い昼休みには、省エネ効果が小さいものの、立ち上がり時間が短い省エネモード（１）又は（２）が選択される。
【００４５】
このため、従来のカレンダタイマ装置のように、電源の投入／遮断のみを設定するものに比べ、より細やかな省エネ対策が遂行され、全体としては大きな省エネ効果を得ることが可能である。従って、本実施形態に係るカレンダタイマ機構７０を用いて画像形成装置１０ａの自動制御を行うことにより、効率的かつ経済的な熱現像が容易に遂行されるという効果が得られる。
【００４６】
なお、夜間に画像形成装置１０ａを使用する可能性がある場合には、例えば、月曜日の夜にＯＮモードから、直接、省エネモード（３）に移行するのではなく、その間に省エネモード（１）及び／又は省エネモード（２）を設定することができる。これにより、急な使用に対して迅速に対応することが可能になる。
【００４７】
また、カレンダタイマ機構７０により、画像形成装置１０ａがいずれのモードになっているかを、例えば、パネル部５４に表示することができる。その際、ＬＥＤ等を常時点灯、あるいは点滅させたり、発光色を変更させたりすることによって、いずれのモードに移行しているかを使用者に容易に視認可能に構成することが好ましい。
【００４８】
ところで、画像形成装置１０ａでは、ＯＮモードに移行することにより、記録材料Ｆに画像を形成する処理が行われている。具体的には、ＣＰＵ６０を介してモータ制御部６８ａ〜６８ｎに駆動信号が送られ、モータ６６ａ〜６６ｎが駆動制御される。このため、感光材料供給部１４に装填されている記録材料Ｆは、吸着盤２８又は３０により装填部２４又は２６から１枚ずつ取り出され、搬送部２０を介して画像露光部１６に送られる。
【００４９】
この画像露光部１６では、露光ユニット３４から所望の画像データに応じて変調された光ビームＬが導出され、この光ビームＬが記録材料Ｆに沿って主走査方向に沿って照射される。この記録材料Ｆは、副走査搬送手段３６を構成する搬送ローラ対３８、４０の回転作用下に、矢印Ｘ方向に挟持搬送される。従って、記録材料Ｆには、二次元的な光ビームＬの照射によって走査露光が行われ、潜像が記録される。
【００５０】
画像露光部１６で潜像が記録された記録材料Ｆは、搬送部２０を介して熱現像部１８に搬送される。この熱現像部１８では、ヒータ４８を介して所定の温度に加熱された加熱ドラム４２とエンドレスベルト４４との間に、記録材料Ｆが挿入され、この記録材料Ｆが前記加熱ドラム４２の周面に沿って挟持搬送されることにより熱現像され、潜像が可視像となって画像形成が行われる。次いで、現像終了後の記録材料Ｆは、剥離爪４６によって加熱ドラム４２から剥離された後、トレイ５２に集積される。
【００５１】
なお、図６において所定の時間帯において設定されたモードが有効になるが、画像形成装置１０ａが一定時間使用されていないことを検出したときには、ヒータ４８のヒートアップに支障がない程度に省エネモードを自動的に変更するオートスリープ機能を付加してもよい。また、設定によりオートスリープ機能が有効な時間帯（例えば、１５分単位で区切られた時間帯）と無効な時間帯とを区別可能なようにしてもよい。
【００５２】
次に、カレンダタイマ機構７０の一部の機能であり、上述した曜日毎の設定に加えて、祝祭日、診療日及び休診日を追加的に設定するための休診日設定機能部７１の機能について、図７〜図１１を参照しながら説明する。
【００５３】
休診日設定機能部７１は、図６で設定した省エネモードに対して付加的な設定を行うものであり、休診日設定機能部７１で設定された事項が図６の設定に優先して実行される。
【００５４】
休診日設定機能部７１はＣＰＵ６０と協働して、図７〜図１０に示される各画面に基づいて設定を行うものであり、これらの各画面はパネル部５４に表示される。また、サーバ１０２においても所定の表示部に同じ画面が表示可能であって休診日、休診時間帯及び地域別カレンダ等に関する情報を設定可能である。
【００５５】
図７に示す省電力モード画面１１０は、休診日設定機能部７１による設定のメイン画面であり、画面上の省電力実行ボタン１１０ａを所定のポインティングデバイスで指示（以下、クリックという）することによって、即時に設定されている省エネ状態に移行する。また、カレンダ選択ボタン１１０ｂ、休診日ボタン１１０ｃ及び休診日時間帯設定ボタン１１０ｄをクリックすることによって、それぞれカレンダ選択画面１２０（図８参照）、休診日設定画面１３０（図９参照）及び休診日時間帯設定画面１４０（図１０参照）に移行する。クイットボタン１１０ｅをクリックすることによって省電力モード画面１１０の表示を終了する。
【００５６】
図８に示すように、カレンダ選択画面１２０には、カレンダ選択領域１２０ａとサマータイム設定ボタン１２０ｂが表示される。カレンダ選択領域１２０ａには、メモリ７２に記録されている各地域毎のカレンダデータが表示され、クリックしたものが選択されて二重枠で表示される。図８に示す例では「日本国」が選択されている。このカレンダ選択領域１２０ａにおいて選択されたカレンダデータは図９の休診日設定画面１３０における祝祭日表示のための初期値となる。
【００５７】
カレンダデータは、国別の曜日情報と祝祭日情報を有するデータであって、例えば、国別のファイル形式で保存されている。カレンダデータは、地域毎にも設定可能であって、例えば、「Ｂ国」については「Ｃ州」及び「Ｄ州」から選択可能である。また、同じ国又は地域においても祝祭日が改正されることがあることから、そのような場合には、新たな暦に対応するカレンダデータを選択可能となっている。例えば、「Ｅ国」については２００４年以降の暦に対応するカレンダデータである「Ｅ国２００４年」が選択可能である。この「Ｅ国２００４年」のカレンダデータの場合、２００４年の単一年に対応するものでなく、閏年を含む２００５年以降にも対応することはもちろんである。カレンダデータは所定の外部記録媒体や広域通信ネットワーク等を介して読み込み追加が可能である。
【００５８】
また、サマータイム設定ボタン１２０ｂをクリックすることによって、サマータイムの期間及びオフセット時間を設定するための所定のダイアログ画面（図示せず）が表示される。該ダイアログ画面で設定された期間には設定されたオフセット時間だけずらして省エネモードが実行され、結果としてサマータイムにも対応可能となる。
【００５９】
ところで、画像形成装置１０ａが使用される病院の休診日が日曜日及びその地域の祝祭日のみであり半休日もない場合には、カレンダ選択画面１２０から、使用する地域のカレンダファイルを選択するだけの簡便な操作で画像形成装置１０ａの省エネ設定が可能となる。つまり、より詳細な省エネ設定を行わない場合には、休診日設定画面１３０（図９参照）及び休診日時間帯設定画面１４０（図１０参照）における設定を省略することもできる。
【００６０】
図９に示す休診日設定画面１３０は、休診日等を設定するための画面であり、日曜日から土曜日に対応した曜日ボタン１３２ａ、１３２ｂ、１３２ｃ、１３２ｄ、１３２ｅ、１３２ｆ及び１３２ｇと、指定された月の日付を曜日ボタン１３２ａ〜１３２ｇに対応して表示する日付ボタン１３０ａと、診療日を設定するワークボタン１３０ｂ、休診日を設定するオールボタン１３０ｃ、午後半休日を設定する午後ボタン１３０ｄ及び午前半休日を設定する午前ボタン１３０ｅが表示されている。
【００６１】
また、休診日設定画面１３０には、設定対象の月を指定するための月進行ボタン１３０ｆ及び月後退ボタン１３０ｇと、現時点における設定対象の月を表示する月表示部１３０ｈと、設定内容を決定するエンターボタン１３０ｉ及び休診日設定画面１３０を終了するクイットボタン１３０ｊが表示されている。
【００６２】
休診日設定画面１３０は、初期状態において操作を行っている日の属する月が表示され、月進行ボタン１３０ｆ及び月後退ボタン１３０ｇをクリックする毎に、設定対象の月が前進及び後退して日付ボタン１３０ａ及び月表示部１３０ｈの表示が更新される。
【００６３】
日付ボタン１３０ａのうち、経過した日についての日付ボタン１３０ａは設定不能を示す破線で表示される。つまり、図９に示す休診日設定画面１３０は、２００３年９月１１日に操作して表示させた例である。また、初期状態においてカレンダ選択画面１２０で選択されたカレンダデータを参照して、祝祭日にあたる日の日付ボタン１３０ａが休診日を示すクロスハッチングで表示される。図９に示す休診日設定画面１３０は、日本国の暦に基づくカレンダデータを参照していることから、９月１５日及び２３日がクロスハッチングで示されている。
【００６４】
初期状態における設定を変更する場合で、診療日となっている日を休診日に変更する際には、オールボタン１３０ｃをクリックした後に日付ボタン１３０ａのうち対象となる日を示す部分をクリックすることにより、当該部分がクロスハッチングの表示に切り換わり休診日に変更される。逆に、休診日となっている日を診療日に変更する際には、ワークボタン１３０ｂをクリックした後に日付ボタン１３０ａのうち対象となる日を示す部分をクリックすることにより、当該部分が白抜きの表示に切り換わり診療日に変更される。
【００６５】
同様に、休診日や診療日に設定されている日を午後半休日又は午前半休日に変更する場合には、午後ボタン１３０ｄ又は午前ボタン１３０ｅをクリックした後に所定の日を示す部分をクリックすればよい。これにより、当該部分が午後半休日を示すハッチングの表示、又は午前半休日を示す破線ハッチングの表示になる。
【００６６】
また、ワークボタン１３０ｂ、オールボタン１３０ｃ、午後ボタン１３０ｄ又は午前ボタン１３０ｅをクリックした後に、曜日ボタン１３２ａ〜１３２ｇのうち所定の曜日を示すボタンをクリックすることにより、その曜日に対する設定を全て変更することができる。図９における日付ボタン１３０ａの例では、午後ボタン１３０ｄをクリックした後に曜日ボタン１３２ｇをクリックすることにより、土曜日を全て午後半休日に設定している。さらに、図６に示すように、水曜日が休診日である場合には、オールボタン１３０ｃをクリックした後に曜日ボタン１３２ｄをクリックしておけばよい。この操作により水曜日は休診日として設定され、図６における水曜日の設定内容に拘わらず、設定対象となっている月に関しては水曜日における画像形成装置１０ａを強制的に省エネモード又はＯＦＦモードに設定することができる。
【００６７】
なお、休診日設定画面１３０では、対象となる月に関して曜日毎の設定を行うが、所定の操作により全ての月に対して曜日毎の設定を行うようにしてもよい。
【００６８】
また、日付ボタン１３０ａにおける経過日、診療日、休診日、午後半休日及び午前半休日を色別に表示すると一層認識しやすくなり好適である。
【００６９】
図１０に示すように、休診日時間帯設定画面１４０には、休診日における休診時間帯の設定を行う終日休診設定部１４０ａと、午後半休日における午後半休時間帯の設定を行う午後休診設定部１４０ｂと、午前休診日における午前休診時間帯の設定を行う午前休診設定部１４０ｃが表示される。また、休診日時間帯設定画面１４０には、休診日、午後半休日及び午前半休日における省エネモードをそれぞれ設定する休診日モード設定部１４０ｄ、午後半休日モード設定部１４０ｅ及び午前半休日モード設定部１４０ｆが表示される。さらに、休診日時間帯設定画面１４０には、画面上における各数値の設定を行うためのアップボタン１４０ｇ及びダウンボタン１４０ｈと、サーバ１０２（図３参照）の情報を使用することを指定するサーバ情報チェックボックス１４０ｉと、設定内容を決定するエンターボタン１４０ｊ及び休診日設定画面１３０を終了するクイットボタン１４０ｋが表示されている。
【００７０】
終日休診設定部１４０ａ、午後休診設定部１４０ｂ及び午前休診設定部１４０ｃには、それぞれ時間帯開始設定部１４２ａと時間帯終了設定部１４２ｂが設けられており、それぞれの時間が設定可能になっている。具体的には、時間帯開始設定部１４２ａ及び時間帯終了設定部１４２ｂの時間入力部１４４ａ又は分入力部１４４ｂをクリックした後にアップボタン１４０ｇ又はダウンボタン１４０ｈをクリックすることによって、時間及び分の設定を増加、減少させることができる。アップボタン１４０ｇ又はダウンボタン１４０ｈによる分入力部１４４ｂにおける設定変更間隔は、例えば、１５分程度にしてもよい。
【００７１】
また、終日休診設定部１４０ａ及び午前休診設定部１４０ｃにおける時間帯開始設定部１４２ａでは、当日の午前の時刻と前日の午後の時刻が設定可能であり、終日休診設定部１４０ａ及び午後休診設定部１４０ｂにおける時間帯終了設定部１４２ｂでは、当日の午後の時刻と翌日の午前の時刻が設定可能である。このように前日の午後及び翌日の午前までの設定を可能とすることにより、例えば、休診日設定画面１３０において休診日に設定した日の翌日で診療日である日の午前７時まで画像形成装置１０ａを連続的に省エネモードにすることができる。つまり、休診日設定画面１３０における翌日や前日の設定に優先して休診時間帯、午後半休時間帯及び午前半休時間帯を延長することができる。
【００７２】
次に、休診日モード設定部１４０ｄ、午後半休日モード設定部１４０ｅ及び午前半休日モード設定部１４０ｆをクリックした後に、アップボタン１４０ｇ又はダウンボタン１４０ｈを適当な回数クリックすることにより、休診日モード設定部１４０ｄ、午後半休日モード設定部１４０ｅ及び午前半休日モード設定部１４０ｆには、休診日、午後半休日及び午前半休日における省エネのモード（２）〜（６）が設定される。ここで表示される数値は、図４において示される省エネモードの数値に対応しており、（１）で示されるモードはＯＮモードであることから除外される。これらの休診日モード設定部１４０ｄ、午後半休日モード設定部１４０ｅ及び午前半休日モード設定部１４０ｆにＯＦＦモードを示す（４）を設定することにより、休診時間帯、午後半休時間帯又は午前半休時間帯には図６に示す設定内容に拘わらず強制的にＯＦＦモードとなる。なお、図９の休診日設定画面１３０において診療日として設定された日であって、休診日時間帯設定画面１４０における設定の前日又は翌日の休診時間帯、午後半休時間帯又は午前半休時間帯の延長の影響を受けない時間帯には、図６に示される設定が有効になることはもちろんである。
【００７３】
次に、サーバ情報チェックボックス１４０ｉをクリックする度にチェックマークが表示／非表示と切り換わり、チェックマークが表示されているときには、サーバ１０２（図３参照）の情報を使用することができる。すなわち、このサーバ情報チェックボックス１４０ｉにチェックマークを表示させることによって、画像形成装置１０ａで設定したデータよりも優先的にサーバ１０２で設定した情報が使用されることになり、サーバ１０２の情報の共有化が可能になる。この処理は休診日設定機能部７１がＣＰＵ６０及びメモリ７２と協働しながら所定のプログラムに基づいて実行するものであり、以下、図１１を参照しながら詳細に説明する。この場合、所定のプログラムはＣＰＵ６０により外部記録媒体や広域通信ネットワーク等を介してメモリ７２のうちプログラム領域に読み込まれて、実行される。
【００７４】
先ず、ステップＳ１において、画像形成装置１０ａが自らのメモリ７２に記録されている情報を使用するか否かを判断する。具体的には、サーバ情報チェックボックス１４０ｉにチェックマークが非表示となるような設定となっているときには、装置のメモリ７２の情報を使用するものとしてステップＳ２へ移る。サーバ情報チェックボックス１４０ｉにチェックマークが表示されるような設定となっているときにはサーバ１０２の情報を用いるものとしてステップＳ３へ移る。
【００７５】
ステップＳ２においては、その時点における各画面で設定された情報の読み込み、又はそれ以前に情報がセーブされているときには、メモリ７２から情報を読み込む。
【００７６】
ステップＳ３においては、サーバ１０２にアクセスして情報の供給をリクエストする。リクエストを受けたサーバ１０２は自らのメモリ７２にセーブされている情報をネットワーク１００を介して画像形成装置１０ａに供給する。
【００７７】
次に、ステップＳ４において、画像形成装置１０ａではサーバ１０２から供給されるデータを受信する。受信に成功したときにはステップＳ５へ移り、失敗したときにはステップＳ６へ移る。なお、このステップＳ４における分岐処理は、画像形成装置１０ａの信頼性を一層向上させるための処理であって、通常はデータの受診に失敗することはない。
【００７８】
ステップＳ５においては、サーバ１０２から受信した情報をメモリ７２のうち所定のエリアに書き込んで使用する。この情報は、画像形成装置１０ａが自ら持つ情報に対して上書きしないものとする。
【００７９】
ステップＳ６においては、情報の受信に失敗した旨をパネル部５４に表示するとともに、初期設定値を所定のエリアに書き込んで使用する。ここで、初期設定値とは、画像形成装置１０ａを運用する上で不都合がない程度に設定されているデータである。
【００８０】
なお、サーバ１０２における休診日時間帯設定画面１４０にはサーバ情報チェックボックス１４０ｉが表示されず、情報強制分配チェックボックス（図示せず）が表示される。該情報強制分配チェックボックスをクリックしてチェックマークを表示させることにより、画像形成装置１０ａ〜１０ｎにおけるサーバ情報チェックボックス１４０ｉにチェックマークが表示されているか否かに拘わらず、サーバ１０２の情報を強制的に画像形成装置１０ａ〜１０ｎに分配供給して使用させることができる。
【００８１】
また、サーバ１０２の情報を画像形成装置１０ａ等で共有する方法としては、一時的にサーバ１０２から画像形成装置１０ａに通信して供給する方法以外にも、必要に応じて逐次情報を供給する方法や、メモリ７２自体を見かけ上共有する方法等を用いてもよい。さらに、サーバ１０２の機能は画像形成装置１０ａ〜１０ｎのいずれか１台が兼用していてもよい。
【００８２】
以上、主に画像形成装置１０ａの作用について説明したが、他の画像形成装置１０ｂ〜１０ｎも同様の作用を有する。
【００８３】
上述したように、本実施の形態に係るカレンダタイマ機構７０は、休診日設定機能部７１の作用により、図６で設定した省エネモードに対して付加的な設定を行うことができ、より詳細で柔軟な設定が可能である。
【００８４】
例えば、曜日情報と祝祭日情報を含むカレンダデータに基づき、診療日及び休診日を日毎又は曜日毎に設定することにより、休診日、並びに、診療日でない日曜日及び祝祭日には、所定の休診日時間帯に画像形成装置１０ａ〜１０ｎを省エネモードとすることができ、エネルギ消費量を簡便に抑制することができる。
【００８５】
また、地域別及び年別のカレンダを適用することができ、容易な操作により、世界の各地域において、いつでも画像形成装置１０ａの省エネ設定を祝祭日に適合するように設定することができる。
【００８６】
さらに、各画像形成装置１０ａ〜１０ｎが省エネに関して同じ設定でよい場合には、サーバ１０２のみで省エネに関する情報を設定し、各画像形成装置１０ａ〜１０ｎではそれぞれのサーバ情報チェックボックス１４０ｉにチェックマークを表示させるだけでよい。従って、設定に要する時間が大幅に短縮される。
【００８７】
なお、本実施形態では、カレンダタイマ機構７０及び休診日設定機能部７１が画像形成装置１０ａ〜１０ｎに組み込まれているが、この画像形成装置１０ａ〜１０ｎに限定されるものではなく、医療用画像処理システムや医療用プリントシステム等、種々の処理装置に組み込むことが可能である。
【００８８】
本発明に係るカレンダタイマ機構は、上述の実施の形態に限らず、本発明の要旨を逸脱することなく、該カレンダタイマ機構を制御する制御プログラムや記録媒体として、種々の構成を採り得ることはもちろんである。
【図面の簡単な説明】
【００８９】
【図１】本発明の実施形態に係るカレンダタイマ機構を組み込む画像形成装置の内部構成説明図である。
【図２】前記画像形成装置の制御ブロック図である。
【図３】複数の画像形成装置がネットワークに接続された画像形成装置ネットワークシステムのブロック図である。
【図４】前記カレンダタイマ機構による省エネモードの説明図である。
【図５】省エネモード（１）〜（３）とＯＦＦモードの省エネ効果と立ち上がり時間の関係図である。
【図６】病院内における前記カレンダタイマ機構による設定状態を示すフォーマットである。
【図７】パネル部に表示される省電力モード画面である。
【図８】パネル部に表示されるカレンダ選択画面である。
【図９】パネル部に表示される休診日設定画面である。
【図１０】パネル部に表示される休診日時間帯設定画面である。
【図１１】サーバの情報を使用するための画像形成装置における処理手順を示すフローチャートである。
【符号の説明】
【００９０】
１０ａ〜１０ｎ…画像形成装置      １２…ケーシング
１４…感光材料供給部              １６…画像露光部
１８…熱現像部                    ２０…搬送部
２２…マガジン                    ２４、２６…装填部
２８、３０…吸着盤                ３２、３８、４０…搬送ローラ対
３４…露光ユニット                ３６…副走査搬送手段
４２…加熱ドラム                  ４４…エンドレスベルト
４８…ヒータ                      ５４…パネル部
６０…ＣＰＵ                      ６２…ヒータ制御部
６４…パネル制御部                ６６ａ〜６６ｎ…モータ
６８ａ〜６８ｎ…モータ制御部      ７０…カレンダタイマ機構
７１…休診日設定機能部            ７２…メモリ
７４…通信制御部                  １００…ネットワーク
１０２…サーバ
１０４…画像形成装置ネットワークシステム
１１０…省電力モード画面          １２０ｂ…サマータイム設定ボタン
１３０…休診日設定画面            １４０…休診日時間帯設定画面
１４０ａ…終日休診設定部          １４０ｂ…午後休診設定部
１４０ｃ…午前休診設定部          １４０ｉ…サーバ情報チェックボックス
１４２ａ…時間帯開始設定部        １４２ｂ…時間帯終了設定部
【図１】
2005071269.tif 000003
【図２】
2005071269.tif 000004
【図３】
2005071269.tif 000005
【図４】
2005071269.tif 000006
【図５】
2005071269.tif 000007
【図６】
2005071269.tif 000008
【図７】
2005071269.tif 000009
【図８】
2005071269.tif 000010
【図９】
2005071269.tif 000011
【図１０】
2005071269.tif 000012
【図１１】
2005071269.tif 000013